(57)【特許請求の範囲】
【請求項１】
主表示部と、
電源供給がなくても情報の表示が可能なサブ表示部と、
操作部と、
前記操作部の操作により自携帯端末の電源オフの指示がなされた場合、電源オフの指示の時点で前記主表示部に表示している情報を前記サブ表示部に表示する制御部とを含む、
携帯端末。
【請求項２】
さらに、表示情報を記憶する表示内容保存部を含み、
前記制御部は、前記操作部の操作により表示保存の指示がなされた場合、前記主表示部に表示している情報を前記表示内容保存部に記憶させる、
ことを特徴とする請求項１に記載の携帯端末。
【請求項３】
前記制御部は、前記操作部の操作により前記電源オフの指示がなされた場合、前記表示内容保存部に情報が記憶されていた際には前記表示内容保存部の情報を前記サブ表示部に表示する、
ことを特徴とする請求項２に記載の携帯端末。
【請求項４】
前記制御部は、前記操作部の操作により前記電源オフの指示がなされた場合、前記表示内容保存部に情報が記憶されていない場合には、電源オフの指示の時点で前記主表示部に表示している情報を前記サブ表示部に表示する、
ことを特徴とする請求項３に記載の携帯端末。
【請求項５】
前記制御部は、前記操作部の操作により即時表示の指示がなされた場合、前記主表示部に表示している情報を前記サブ表示部に表示する、
ことを特徴とする請求項１から請求項４の何れかに記載の携帯端末。
【請求項６】
前記サブ表示部を、前記携帯端末の前記操作部上及び／又は前記主表示部を含む筐体の背面側及び／又は前記操作部を含む筐体の背面側に設ける、
ことを特徴とする請求項１から請求項５の何れかに記載の携帯端末。
【請求項７】
前記サブ表示部を、電子ペーパで構成する、
ことを特徴とする請求項１から請求項６の何れかに記載の携帯端末。
【請求項８】
主表示部と、電源供給がなくても情報の表示が可能なサブ表示部と、操作部とを含む携帯端末において、
前記操作部の操作により自携帯端末の電源オフの指示がなされた場合、電源オフの指示の時点で前記主表示部に表示している情報を前記サブ表示部に表示する、
情報表示方法。
【請求項９】
前記携帯端末は、さらに、表示情報を記憶する表示内容保存部を含み、
前記操作部の操作により表示保存の指示がなされた場合、前記主表示部に表示している情報を前記表示内容保存部に記憶させる、
ことを特徴とする請求項８に記載の情報表示方法。
【請求項１０】
前記操作部の操作により前記電源オフの指示がなされた場合、前記表示内容保存部に情報が記憶されていた際には前記表示内容保存部の情報を前記サブ表示部に表示する、
ことを特徴とする請求項９に記載の情報表示方法。
【請求項１１】
前記操作部の操作により前記電源オフの指示がなされた場合、前記表示内容保存部に情報が記憶されていない場合には、電源オフの指示の時点で前記主表示部に表示している情報を前記サブ表示部に表示する、
ことを特徴とする請求項１０に記載の情報表示方法。
【請求項１２】
前記操作部の操作により即時表示の指示がなされた場合、前記主表示部に表示している情報を前記サブ表示部に表示する、
ことを特徴とする請求項８から請求項１１の何れかに記載の情報表示方法。
【発明の詳細な説明】
【技術分野】
【０００１】
本発明は、携帯端末および情報表示方法に関し、特に、省電力化を可能とする携帯端末および情報表示方法に関する。
【背景技術】
【０００２】
携帯電話やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの、所謂、携帯端末は、会社や自宅あるいは外出先などを問わず、どのような場所においても何時でも利用することが可能である。そして、携帯端末は携帯可能であるが故に、その電源として、通常、バッテリーを搭載し、その電力を利用して動作するように構成されている。
【０００３】
しかしながら、バッテリーの容量には限界があるため、通常の携帯端末においては、キー操作などが行われていない未使用時には、消費電力を少なくするために、節電モードとするような機能が搭載されている。節電モードにおいては、携帯端末の表示部への表示を止める、或いは、未使用回路への電源供給を止める、といった措置がとられるよう構成されている。
【０００４】
一方、携帯端末の未使用時であっても、携帯端末の表示部の表示を全て止めるのではなく、例えば、カレンダーの表示や、知人の電話番号の表示など、必要最小限のメモ程度の表示だけは継続して行えるようにしたい、といった要望も出始めている。
【０００５】
このような要望に応えるため、表示手段に表示する情報を、低消費電力で表示し続けることができる携帯端末装置が提案されるようになってきている（例えば、特許文献１参照。）。
【０００６】
上記の特許文献１「携帯端末装置」には、以下のような記載が成されている。すなわち、この携帯端末装置は、表示手段として、電源が供給され続けなくても表示した情報を保持することが可能な電子ペーパを備えている。また、携帯端末装置は、電子ペーパに電源を供給するための電源供給手段と、電源供給手段から電子ペーパに供給する電源をオン・オフするスイッチと、スイッチのオン・オフを制御する電源制御手段、を備えている。さらに、携帯端末装置は、電子ペーパに表示する情報を転送する情報転送手段と、トリガ信号に応答して情報更新命令を電源制御手段および情報転送手段に出力する命令制御手段とを備えている。そして、この携帯端末装置は、情報更新命令に応答して電源制御手段がスイッチをオンするとともに、情報転送手段が表示する情報を電子ペーパに転送し、情報の転送の終了後、電源制御手段がスイッチをオフして電子ペーパに対する電源の供給を止めるよう動作する。このように、この携帯端末装置は、一度表示された情報を、電源供給をせずに保持して表示し続けることが出来る電子ペーパを表示装置として備えるので、カレンダー画像などの情報を低消費電力で表示し続けることができるようになる、としている。
【０００７】
また、バッテリーが無くなっても、設定された外見デザインを表示し続ける携帯端末を提案するものもある（例えば、特許文献２参照。）。
【０００８】
上記の特許文献２「筐体および携帯端末」には、以下のような記載が成されている。すなわち、この携帯端末は、携帯端末の筐体の表面に、表示の変更が可能でかつ変更後は電源がなくても表示可能な外装用表示装置を備えている。この外装用表示装置は、電源がなくても長時間表示可能な電子ペーパである。そして、ユーザがこの携帯端末の外装を変更したい場合、携帯端末のメイン表示装置を外装設定画面に遷移させる。つぎに、外装設定画面に一覧表示された画像から、設定したい画像を選び、画像を設定する。すると、外装用表示装置には選択された画像が映し出される。以上の操作により、ユーザはパソコンの壁紙を変更するのと同じように、表示させたい画像を選択するだけで、携帯端末の外装のデザインを自由に変更することができるようになる、としている。そして、携帯端末のバッテリーが無くなっても、設定された外見デザインは表示され続けるようになる、としている。
【０００９】
さらに、携帯端末装置の電池（バッテリー）が切れてしまった場合でも、ユーザにとって必要な情報を閲覧することが可能な携帯端末装置を提案しているものもある（例えば、特許文献３参照。）。
【００１０】
上記の特許文献３「携帯端末装置および表示方法」には、以下のような記載が成されている。すなわち、この携帯端末装置は、当該装置の電池が切れることを判定した際に、給電無しで表示の維持が可能な表示デバイスへ、ユーザにとって必要な情報を表示した後に、本体の電源を落とす。このことにより、当該装置の電池が切れた後でも、充電することなく、ユーザにとって必要な情報を長時間に亘って閲覧することができるようになる、としている。なお、特許文献３の表示デバイスとしては、電子ペーパが例示されている。
【００１１】
【特許文献１】特開２００５−１２８４０６号公報（第５−８頁、図１−７）
【特許文献２】特開２００４−１９２４９７号公報（第３−７頁、図１−１７）
【特許文献３】特開２００７−２０８６０１号公報（第５−９頁、図１−４）
【発明の開示】
【発明が解決しようとする課題】
【００１２】
上述したように、携帯端末は、通常、容量に限りのあるバッテリーを電源として動作するようになっているため、出来る限りの省電力化を図るよう構成されるものが多くなってきている。また、携帯端末のユーザも、例えば、携帯端末の使用禁止エリアに入った場合や、会議中などで携帯端末を使用できない場合などにおいては、マナーモードなどで対応するだけでなく、より積極的に、携帯端末の電源をオフとするようにもなってきている。
【００１３】
しかしながら、携帯端末の電源をオフとした場合であっても、携帯端末上に必要最低限の情報を表示できるようになれば、紙へのメモなどを取る必要がなくなるため、ユーザにとっての利便性の向上が期待できる。必要最低限の情報の一例としては、カレンダー画像、知人の住所や電話番号、自己のスケジュール、携帯端末の使用禁止エリア内の地図情報などを挙げることができる。
【００１４】
上記の特許文献１の携帯端末装置は、表示手段（電子ペーパ）の表示を更新する際には表示手段への電源を供給し、表示が更新された後には表示手段への電源供給を止めるよう動作する。このことにより、携帯端末装置の低消費電力化が図られるようになるとしている。しかしながら、携帯端末装置自体の電源をオフとした場合の、表示手段への表示動作については記載していない。つまり、特許文献１においては、携帯端末装置自体の電源をオフとした際の表示手段への表示についての考慮はなされていない。
【００１５】
また、特許文献２の携帯端末は、バッテリーが無くなっても、設定された外見デザインを、外装用表示装置（電子ペーパ）に表示し続けるようになっている。しかしながら、特許文献１と同様に、携帯端末自体の電源をオフとした場合については、何の記載もなされていない。つまり、特許文献２においても、携帯端末装置自体の電源をオフとした際の表示手段への表示についての考慮はなされていない。
【００１６】
さらに、特許文献３の携帯端末装置は、携帯端末装置の電池が切れることを判定した際に、ユーザにとって必要な情報を表示デバイス（電子ペーパ）へ表示し、その後、本体の電源を落とすようになっている。しかしながら、携帯端末装置の電池の容量が充分有る場合に、携帯端末装置の電源をオフとした際の動作に関する記載はなされていない。つまり、特許文献３においても、携帯端末装置自体の電源をオフとした際の表示手段への表示についての考慮はなされていない。
【００１７】
本発明は、上述した課題を解決するためになされたものである。従って、本発明の目的は、携帯端末の電源をオフとした際であっても、ユーザにとって有用な情報を表示し続け、かつ、省電力化を可能とする携帯端末および情報表示方法を提供することにある。
【課題を解決するための手段】
【００１８】
本発明の携帯端末は、主表示部と、電源供給がなくても情報の表示が可能なサブ表示部と、操作部と、前記操作部の操作により自携帯端末の電源オフの指示がなされた場合、前記主表示部に表示している情報を前記サブ表示部に表示する制御部とを含んでいる。
【００１９】
また、本発明の情報表示方法は、主表示部と、電源供給がなくても情報の表示が可能なサブ表示部と、操作部とを含む携帯端末において、前記操作部の操作により自携帯端末の電源オフの指示がなされた場合、前記主表示部に表示している情報を前記サブ表示部に表示するようになっている。
【発明の効果】
【００２０】
本発明によれば、携帯端末の電源をオフとした際であっても、ユーザにとって有用な情報をサブ表示部に表示し続けることが可能となり、携帯端末の省電力化が可能となる。
【発明を実施するための最良の形態】
【００２１】
次に、本発明の実施の形態について図面を参照して説明する。
［第１の実施の形態］
図１は、本発明の携帯端末の第１の実施の形態を示すブロック図である。
【００２２】
図１に示す携帯端末１は、主表示部２と、操作部３と、サブ表示部４と、制御部５と、を含んでいる。
【００２３】
携帯端末１は、携帯電話機やＰＨＳ（Ｐｅｒｓｏｎａｌ  Ｈａｎｄｙｐｈｏｎｅ  Ｓｙｓｔｅｍ：パーソナルハンディフォンシステム）端末、或いは、ＰＤＡ（Ｐｅｒｓｏｎａｌ  Ｄｉｇｉｔａｌ  Ａｓｓｉｓｔａｎｔｓ：携帯情報端末）などの携帯可能な端末装置である。
【００２４】
主表示部２は、携帯端末１を取り扱う上で必要となる文字、記号、画像などの情報を表示する。
【００２５】
操作部３は、携帯端末１を操作するための複数のキーを含んでいる。そして、操作部３は、携帯端末１の電源のオン／オフを行うための電源キーも含んでいる。
【００２６】
サブ表示部４は、主表示部２に表示する情報の補助的情報を表示する。サブ表示部４においても、主表示部２と同様に、文字、記号、画像などの情報を表示する。なお、本実施の形態におけるサブ表示部４は、紙のように薄くて軽く、曲げることも可能な表示デバイスであるところの電子ペーパで構成されている。電子ペーパは、電源を切っても表示内容をそのまま保持できる表示デバイスである。
【００２７】
制御部５は、携帯端末１全体の動作制御を行い、操作部３のキーの操作により、携帯端末１の有する各種機能を実行させると共に、各機能の実行により出力される各種の情報を主表示部２やサブ表示部４に表示する。
【００２８】
特に、制御部５は、操作部３の中の電源キーが操作され、当該電源キーの操作が、携帯端末１の電源オフを指示している場合、その時点で主表示部２に表示している情報を、そのままサブ表示部４に表示する。そして、制御部５は、携帯端末１の電源オフを実行する。
【００２９】
このように、本実施の形態の携帯端末１は、携帯端末１の操作部３の電源キーにより電源オフが指示された場合、その時点で主表示部２に表示している情報を、そのままサブ表示部４に表示するよう動作するようになっている。
【００３０】
従って、本実施の形態によれば、携帯端末１の電源をオフとした際であっても、ユーザにとって有用な情報をサブ表示部４に表示し続けることが可能となる。また、電源をオフとしているため、携帯端末１の省電力化が可能となる。
［第２の実施の形態］
次に、図１に示した第１の実施の形態をさらに具体化した本発明による第２の実施の形態について説明する。
【００３１】
図１に示した実施の形態の携帯端末１は、第２の実施の形態においては、図４に示す携帯端末１０に対応するものである。そこで、先ず、図１のブロック図に示した携帯端末１と、図４のブロック図に示す携帯端末１０との対応関係について説明を行っておく。
【００３２】
図１の主表示部２は、図４の主表示部２０に対応する。また、操作部３（図１）は、機能キー群操作部３０と電子ペーパ操作部４０（図４）に対応する。さらに、サブ表示部４（図１）は、電子ペーパ制御部４１と電子ペーパ４２（図４）に対応する。またさらに、制御部５（図１）は、制御部５０（図４）に対応している。
【００３３】
以下、図２〜図１１を参照して、第２の実施の形態についての説明を行う。
【００３４】
図２は、本発明の第２の実施の形態の携帯端末の外観図である。
【００３５】
図２に示す携帯端末１０は、上部筐体１１と下部筐体１２を有し、上部筐体１１は主表示部２０を含んでいる。下部筐体１２は、携帯端末１０の操作パネル面となっており、機能キー群操作部３０と電子ペーパ操作部４０を含んでいる。
【００３６】
上部筐体１１と下部筐体１２は図示しないヒンジなどで相互に接続されており、ヒンジなどを介して相互に折り畳み可能な構造となっている。なお、上部筐体１１と下部筐体１２は、一体型の共通の筐体に含ませるよう構成するものであってもよい。但し、以降の説明においては、上部筐体１１と下部筐体１２は相互に折り畳み可能な構造となっているものとして説明を行うものとする。
【００３７】
主表示部２０は、携帯端末１０を取り扱う上で必要となる文字、記号、画像などの情報を表示する。
【００３８】
機能キー群操作部３０は、携帯端末１０の各種機能を実行するために必要となるキーを含んでおり、例えば、電源キー、メニュー表示キー、機能選択キー、十字キー、表示保存キーなどを含んでいる。電源キーは、携帯端末１０の電源投入（オン）あるいは電源切断（オフ）を行うためのキーである。メニュー表示キーは、携帯端末１０が備える機能のメニューを、主表示部２０に表示させるためのキーである。機能選択キーは、携帯端末１０が備える機能を選択して実行させるために用いられるキーである。十字キーは、主表示部２０に表示されているカーソルを上下左右に移動させるためのキーである。表示保存キーは、当該表示保存キーが押下された時点で主表示部２０に表示されている情報を、携帯端末１０の記憶部内に保存するためのキーである。
【００３９】
電子ペーパ操作部４０は、携帯端末１０を操作する上で必要となるキーの内、機能キー群操作部３０が含んでいるキー以外の各種キーを含む操作部である。ここで、各種キーとは、例えば、０〜９の数字を入力するためのテンキーや、通常の電話機が備える「＊」キー、「＃」キー、或いは、通話開始キー、通話終了キーなどである。
【００４０】
本実施の形態において、電子ペーパ操作部４０は、紙のように薄くて軽く、曲げることも可能な表示デバイスであるところの電子ペーパで構成されている。そして、電子ペーパへの表示内容は、電子ペーパ各部への電圧の与え方により、如何様にも変更可能となっている。例えば、各キーのキー枠（キーの範囲を示す四角形）を表示／非表示とすることや、キー枠の内側やキー枠の外側に、文字や記号、或いは、画像などを表示することや表示を消去することも可能となっている。
【００４１】
そこで、図２においては、一例として、３×５個のキー枠だけを電子ペーパ操作部４０内に図示している。
【００４２】
なお、電子ペーパ操作部４０に表示される各種キーをより具体的に示す一例を図３に示しておく。
【００４３】
図３は、電子ペーパ操作部の各種キーの表示の一例を示す図である。
【００４４】
図３に示す電子ペーパ操作部４０には、３×５個のキー、すなわち、図３内の（１）〜（１５）の符号を付した１５個のキーが表示されている。これらの各キーは、電話をかける場合に使用されるキーを例示するものとする。
【００４５】
電子ペーパ操作部４０の（４）〜（１２）および（１４）は、所謂テンキーであり、相手先電話番号を入力するために用いられる。これらテンキーそれぞれのキー枠の内側には、「１」〜「９」および「０」の数字が表示されている。
【００４６】
電子ペーパ操作部４０の最上行の左端のキー（１）には「開始」の文字が表示されており、電話番号を入力した後の発信を行う場合に使用されるキーであることを示している。また、（２）のキーには「クリア」の文字が表示されており、電話番号の入力を１桁戻す場合に使用されるキーであることを示している。（３）のキーは、電話を切る場合に使用されるキーであることを示している。さらに、（１３）は「＊」キーであることを示し、（１５）は「＃」キーであることを示している。
【００４７】
次に、図４を参照して、本実施の形態の携帯端末１０の構成について説明する。
【００４８】
図４は、本発明の携帯端末の第２の実施の形態を示すブロック図である。なお、図４において図２に示す構成要素に対応するものは同一の参照数字または符号を付し、その説明を極力省略するものとする。
【００４９】
図４に示す携帯端末１０は、主表示部２０、機能キー群操作部３０、電子ペーパ操作部４０、制御部５０、記憶部６０を含んでいる。
【００５０】
主表示部２０は、制御部５０から出力される文字、記号、画像などの情報を表示する。主表示部２０は、例えば、ＬＣＤ（Ｌｉｑｕｉｄ  Ｃｒｙｓｔａｌ  Ｄｉｓｐｌａｙ：液晶表示装置）で構成されている。
【００５１】
機能キー群操作部３０は、携帯端末１０の各種機能を実行するために必要となるキー（複数可）を含んでおり、何れかのキーが押下されると、押下されたキーの種別を示す信号を、制御部５０に対して出力する。
【００５２】
電子ペーパ操作部４０は、携帯端末１０を操作する上で必要となる複数のキーを含んでいる。本実施の形態においては、図２で説明したと同様に、３×５個、すなわち、１５個のキーを含むものとして説明を行っていくが、電子ペーパ操作部４０が含むキーの数は限定されてはおらず、キー数の制限は無い。
【００５３】
そして、電子ペーパ操作部４０は、電子ペーパ制御部４１と電子ペーパ４２、および、スイッチシート４３とキー押下検出部４４を含んでいる。
【００５４】
電子ペーパ制御部４１は、制御部５０で実行されるアプリケーション・プログラム（以下、アプリ、と略記する）の種別と、該アプリのキー機能テーブルを、制御部５０から受け取る。キー機能テーブルは、当該アプリで使用する電子ペーパ操作部４０の各キーに割り当てられた機能、および、当該機能を表わす文字や記号等の表示データを記憶するテーブルである。キー機能テーブルについては、後に詳述する。
【００５５】
次に、電子ペーパ制御部４１は、キー機能テーブルを参照して、電子ペーパ操作部４０の各キーのキー枠の内側すなわちキートップと、キー枠の外側すなわち枠外に表示する文字や記号を決定する。そして、キー枠を示す四角形の内側のキートップの文字や記号、及び、キー枠外の文字や記号を、電子ペーパ４２に表示させるように、電子ペーパ４２を制御する。
【００５６】
また、電子ペーパ制御部４１は、制御部５０から表示情報（例えば、主表示部２０に表示している情報）を受け取った場合には、当該表示情報をそのまま電子ペーパ４２に表示させるよう、電子ペーパ４２を制御する。
【００５７】
電子ペーパ４２は、電子ペーパ制御部４１の制御によって指定された通りの表示を行う。なお、電子ペーパ４２は、モノクロ表示だけが行えるものであってもよいし、カラー表示が行えるものであってもよい。
【００５８】
スイッチシート４３は、押下するとＯＮとなり、押下する指を離すとばねの力でＯＦＦとなるタクトスイッチを複数有するシートである。本実施の形態においては、図２で説明したと同様に、３×５個、すなわち、１５個のタクトスイッチが、シート上に実装されている。また、スイッチシート４３は、電子ペーパ４２の真下に配置されている。つまり、電子ペーパ４２とスイッチシート４３によって、本実施の形態で使用するキーが構成されるようになっている。電子ペーパ４２とスイッチシート４３の構成については、後に詳述する。
【００５９】
キー押下検出部４４は、スイッチシート４３の何れのタクトスイッチが押下されたか、すなわち、電子ペーパ操作部４０の何れのキーが押下されたかを検出して、押下されたキーの種別を示す信号を制御部５０に対して出力する。
【００６０】
制御部５０は、図示しないＣＰＵ（Ｃｅｎｔｒａｌ  Ｐｒｏｃｅｓｓｉｎｇ  Ｕｎｉｔ：中央処理装置）を含んでおり、ＣＰＵの動作により携帯端末１０全体の動作制御を行う。なお、ＣＰＵを動作させるためのアプリ（アプリケーション・プログラム）は、記憶部６０に記憶されている。
【００６１】
記憶部６０は、携帯端末１０の各種機能を実行するアプリ（アプリケーション・プログラム）を記憶すると共に、各アプリの実行に必要となるデータや、各アプリが生成するデータ、或いは、携帯端末１０の設定データなどを記憶する（図示せず）。
【００６２】
また、記憶部６０は、各アプリのキー機能テーブル９０を記憶する。キー機能テーブル９０は、携帯端末１０のアプリの数と同じ数（例えば、ｎ個）存在し、それぞれ、キー機能テーブル９０−１〜９０−ｎの符号を付して識別するものとする。
【００６３】
さらに、記憶部６０は、表示内容保存部９５を有している。表示内容保存部９５には、機能キー群操作部３０の表示保存キーが押下された時点で主表示部２０に表示されている情報が、記憶されて保存できるようになっている。
【００６４】
次に、図５を参照して、記憶部６０に記憶されているキー機能テーブル９０について説明する。
【００６５】
図５は、キー機能テーブルの一例を示す図である。
【００６６】
図５に示すキー機能テーブル９０−１は、記憶部６０に記憶される複数のキー機能テーブル９０の中の、「文字編集」アプリによる機能が携帯端末１０で実行される場合に使用されるキー機能テーブルを例示するものである。
【００６７】
図５に示すキー機能テーブル９０−１は、当該キー機能テーブル９０がどのアプリで使用されるものであるかを示すアプリ種別（図５の９０１−１行）の欄を備えている。図５の９０１−１行には、アプリ種別として「文字編集」と記載されている。従って、このキー機能テーブル９０−１は、携帯端末１０で「文字編集」を行うアプリが実行される際に使用されるテーブルであることを示している。
【００６８】
また、キー機能テーブル９０−１は、９０１−２行に示すように、キーの種類（９０１−５列）、キー機能（９０１−６列）、キートップ（９０１−７列）、キー枠外（９０１−８列）の各列を備えている。
【００６９】
キーの種類（９０１−５列）の列は、図３で例示したように、電子ペーパ操作部４０の各キーの種類を示しており、図５においては、キーの種類を、図３で例示したと同様の（１）〜（１５）の符号で表わしている。例えば、９０１−３−１行のキーの種類（９０１−５列）の欄には、（１）、が記載されており、これは、電子ペーパ操作部４０の最上行の左端のキー（図３の（１）キー）であることを示すものである。
【００７０】
キー機能（９０１−６列）の列は、当該キーの機能を解説する文章を記載している。例えば、９０１−３−１行のキーの種類（１）のキーの機能は、「かな漢字変換を行う」機能を有する、ということを示している。また、９０１−３−５行のキーの種類（５）のキーの機能は、「文字入力を行うものであり、数字の「２」、または、五十音か行の文字、または、アルファベットのＡＢＣ、の何れかを入力する」ものである、ということを示している。
【００７１】
キートップ（９０１−７列）の列は、当該キーのキー枠の内側、すなわち、キートップに表示する文字や記号等を記載している。例えば、９０１−３−１行のキーの種類（１）のキーのキートップには、「変換」という文字を表示する、ということを示している。この「変換」という文字は、（１）のキーが「かな漢字変換を行う」というキー機能を有している、ということを簡潔に表現するものである。
【００７２】
また、９０１−３−５行のキーの種類（５）のキーのキートップには、「数字「２」と文字「か」」を表示する、ということを示している。
【００７３】
キー枠外（９０１−８列）の列は、当該キーのキー枠の外側、すなわち、キー枠外に表示する文字や記号等を記載している。例えば、９０１−３−１行のキーの種類（１）のキーのキー枠外には、「なにも表示しない」ということを示している。これは、当該キーのキー枠外の欄（９０１−３−１行と９０１−８列の交点の欄）が、「空白」になっているためである。
【００７４】
一方、９０１−３−５行のキーの種類（５）のキーのキー枠外には、アルファベットの「ＡＢＣ」を表示する、ということを示している。この「ＡＢＣ」という文字は、（５）のキーが「文字入力を行い、アルファベットのＡＢＣも入力する」というキー機能を有している、ということを簡潔に表現するものである。
【００７５】
次に、図６を参照して、電子ペーパ操作部４０の電子ペーパ４２とスイッチシート４３の構成について説明する。
【００７６】
図６は、電子ペーパ操作部の一例を示す図である。
【００７７】
図６に示す電子ペーパ操作部４０は、スイッチシート４３の上部に電子ペーパ４２を配置し、さらにその上部に透明な保護シート４８を配置している。
【００７８】
スイッチシート４３は、図３で例示したと同様の配置で、３×５個、すなわち１５個のタクトスイッチ４３−１をシート上に備えている。
【００７９】
電子ペーパ４２は、図４に示した電子ペーパ制御部４１が指定した通りの文字や記号、或いは、表示情報を表示する。
【００８０】
保護シート４８は、透明で柔らかな素材のシートであり、電子ペーパ４２を保護するシートである。
【００８１】
なお、図４に示した電子ペーパ操作部４０の電子ペーパ制御部４１とキー押下検出部４４は、図６では図示しない回路基板上に実装されているものとする。
【００８２】
次に、図７〜図１２を参照して、本実施の形態の携帯端末１０の動作について説明する。
【００８３】
図７は、本発明の携帯端末の第２の実施の形態の動作を示す第１のフローチャートである。
【００８４】
先ず、携帯端末１０には電源が投入されており、携帯端末１０の各種機能が起動可能な状態になっているものとする。このとき、携帯端末１０の電子ペーパ操作部４０には、図３に示したような表示がなされているものとする。
【００８５】
ここで、携帯端末１０のユーザが、携帯端末１０の有する複数の機能の内の或る１つの機能を起動すると、当該機能を実行するアプリ（アプリケーション・プログラム）が起動される（図７のステップＳ１）。機能の起動は、携帯端末１０の機能キー群操作部３０の、メニュー表示キー、機能選択キー、十字キーなどの操作によって行われる。つまり、携帯端末１０の制御部５０は、機能キー群操作部３０の何れかのキーの操作を検出し、当該キーの操作に対応して選択された機能を起動するようになっている。なお、ここでは一例として、「文字編集」機能を実行するアプリが起動されたものとして、説明を行っていくものとする。
【００８６】
ユーザによって選択された機能を実行するアプリを起動した制御部５０は、記憶部６０から、当該アプリに対応したキー機能テーブル９０を取得する（ステップＳ２）。ここでは、「文字編集」アプリが起動されているため、キー機能テーブル９０−１（図５に示したキー機能テーブル９０−１）を取得する。
【００８７】
そして、制御部５０は、起動したアプリの種別（ここでは、「文字編集」アプリ）と、キー機能テーブル９０（ここでは、キー機能テーブル９０−１）を、電子ペーパ操作部４０の電子ペーパ制御部４１に送出する（ステップＳ３）。
【００８８】
電子ペーパ制御部４１は、制御部５０から受け取ったキー機能テーブル９０を参照し、電子ペーパ操作部４０の各キーに割り当てられている機能を認識する。次に、電子ペーパ制御部４１は、電子ペーパ操作部４０の各キーのキートップとキー枠外に表示する文字や記号を、キー機能テーブル９０から取得する。そして、電子ペーパ制御部４１は、電子ペーパ４２上の各キーの該当位置に、各キーのキートップとキー枠外の文字や記号を表示するよう制御する（ステップＳ４）。これにより、電子ペーパ４２には、電子ペーパ制御部４１によって指示された表示内容（文字や記号）が表示される。ここで電子ペーパ４２に表示される表示内容の一例については、後に図８を参照して説明する。
【００８９】
次に、携帯端末１０のユーザは、起動されているアプリの諸機能の何れかを実行させるため、電子ペーパ操作部４０の所望のキーを押下する（ステップＳ５）。
【００９０】
電子ペーパ操作部４０のキー押下検出部４４は、キーの押下を検出し、押下されたキーの種別を示す信号を制御部５０に対して出力する。
【００９１】
制御部５０は、押下されたキーの種別がアプリの終了のためのキーか否かを判定する（ステップＳ６）。
【００９２】
押下されたキーの種別が、アプリの終了のためのキーでない場合（ステップＳ６でＮｏ）、制御部５０は、現在実行中のアプリに当該キーに対応する機能を実行させる（ステップＳ７）。そして、ステップＳ５に戻る。
【００９３】
押下されたキーの種別が、アプリの終了のためのキーであった場合（ステップＳ６でＹｅｓ）、制御部５０は、現在実行中のアプリを終了させる。
【００９４】
次に、図８を参照して、上述した「文字編集」アプリが実行される際に、電子ペーパ操作部４０に表示される表示内容の一例について説明する。
【００９５】
図８は、文字編集アプリが起動された際の電子ペーパ操作部の各種キーの表示例を示す図である。なお、図８において図３に示す構成要素および各キーに対応するものには、同一の参照数字または符号を付し、その説明を省略するものとする。
【００９６】
図８に示す電子ペーパ操作部４０の各キー（１）〜（１５）のキートップには、それぞれ、「変換」、「クリア」、「確定」、「１  あ」、「２  か」、・・・のように、文字や記号が表示されている。これらの表示内容は、「文字編集」アプリのキー機能テーブル９０−１（図５）のキートップの列（図５の９０１−７列）の内容（図５の９０１−３−１行、９０１−３−２行、・・・）をそのままの形で表示するものである。
【００９７】
また、図８の（１）（２）（３）のキーのキー枠外には何も表示されていない。これは、「文字編集」アプリのキー機能テーブル９０−１の、キーの種類（１）（２）（３）のキー枠外の列（図５の９０１−８列）が空白となっているためである。
【００９８】
さらに、図８に示す電子ペーパ操作部４０の（４）（５）（６）・・・のキーのキー枠外には、それぞれ、「＠」、「ＡＢＣ」、「ＤＥＦ」、・・・のように、文字や記号が表示されている。これらの表示内容は、「文字編集」アプリのキー機能テーブル９０−１（図５）のキー枠外の列（図５の９０１−８列）の内容（図５の９０１−３−４行、９０１−３−５行、・・・）をそのままの形で表示するものである。
【００９９】
以上説明したように、携帯端末１０で或るアプリが起動された際に、携帯端末１０の電子ペーパ操作部４０の各キーのキートップとキー枠外には、当該アプリで使用するキーの機能が表示されるようになっている。そして、電子ペーパ操作部４０の各キーのキートップとキー枠外に表示される文字や記号は、当該アプリに対応するキー機能テーブル９０のキートップの列とキー枠外の列に記載の文字や記号を、そのままの形で表示するようになっている。
【０１００】
次に、図９、図１０、図１１を参照して、本実施の形態の携帯端末１０の表示情報取得の動作について説明する。
【０１０１】
図９は、本発明の携帯端末の第２の実施の形態の動作を示す第２のフローチャートである。
【０１０２】
先ず、携帯端末１０には電源が投入されており、携帯端末１０の有する複数のアプリ（アプリケーション・プログラム）の内の或る１つのアプリが起動されているものとする。起動されているアプリとして、以下、「文字編集」アプリを一例として説明するものとする。このとき、携帯端末１０の電子ペーパ操作部４０には、図８に示したような表示がなされていることとなる。
【０１０３】
携帯端末１０で起動されているアプリは、携帯端末１０の下部筐体１２の操作パネル面からのキー入力待ちの状態となっている。
【０１０４】
携帯端末１０の制御部５０は、キーの操作が有るか否かを判定可能な状態となっている（図９のステップＳ１１）。キー操作が無い場合は（ステップＳ１１でＮｏ）、ステップＳ１１の判定動作を継続する。
【０１０５】
キー操作が有った場合（ステップＳ１１でＹｅｓ）、制御部５０は、操作されたキーが表示保存キーであるかを判定する（ステップＳ１２）。表示保存キーが操作された場合（ステップＳ１２でＹｅｓ）、制御部５０は、その時点で主表示部２０に表示されている情報を、記憶部６０の表示内容保存部９５に記憶させ保存する（ステップＳ１３）。そして、ステップＳ１１に戻る。ステップＳ１３の一例として、例えば、「文字編集」アプリによって電話帳データの作成がなされており、主表示部２０には図１０（ａ）に示すような電話帳データが表示されていたものとする。この時点で表示保存キーが操作された場合には、図１０（ａ）の主表示部２０の表示情報、すなわち、氏名、カナ、ＴＥＬ、Ｍａｉｌなどの情報が、そのまま表示内容保存部９５に記憶される。なお、表示内容保存部９５に既に表示情報が記憶されていた場合には、上書きされて記憶される。
【０１０６】
操作されたキーが表示保存キーでなかった場合（ステップＳ１２でＮｏ）、制御部５０は、キー操作が、起動されているアプリの終了の操作であるか否かを判定する（ステップＳ１４）。アプリの終了の操作ではない場合（ステップＳ１４でＮｏ）、制御部５０は、操作されたキーの種別に対応するアプリの機能を実行し（ステップＳ１５）、ステップＳ１１に戻る。
【０１０７】
アプリの終了操作であった場合（ステップＳ１４でＹｅｓ）、制御部５０は起動中のアプリを終了させる。
【０１０８】
上述した図９の説明においては、「文字編集」アプリが起動されている例について説明したが、「文字編集」アプリに代えて、「スケジュール表示」アプリが起動されている場合のステップＳ１３の例について、図１１を参照して説明する。
【０１０９】
携帯端末１０で「スケジュール表示」アプリが起動されており、上述のステップＳ１２で表示保存キーが操作された時点で、携帯端末１０の主表示部２０には、図１１（ａ）に示すようなスケジュールデータが表示されていたものとする。すると、上述したステップＳ１３においては、図１１（ａ）の主表示部２０の表示情報、すなわち、２００８年４月１０日のスケジュールの情報が、そのまま表示内容保存部９５に記憶される。
【０１１０】
なお、図９においては、或るアプリの起動中に、表示保存キーが操作された場合の表示情報取得の動作について説明したが、アプリが起動されていない場合であっても、携帯端末１０の表示情報取得の動作は同様に行われる。例えば、携帯端末１０が待ち受け中であり、主表示部２０には待ち受け画面としてカレンダー画像が表示されている場合に、表示保存キーが操作されると、その時点でのカレンダー画像が、表示内容保存部９５に記憶される。
【０１１１】
次に、図１２を参照して、本実施の形態の携帯端末１０の電源オフ時の動作について説明する。
【０１１２】
図１２は、本発明の携帯端末の第２の実施の形態の動作を示す第３のフローチャートである。
【０１１３】
先ず、携帯端末１０には電源が投入されており、携帯端末１０は動作状態にあるものとする。携帯端末１０が動作状態にあるとは、携帯端末１０が待ち受け状態であっても良いし、或るアプリが起動されている状態であっても良い。何れの状態であっても、携帯端末１０は、携帯端末１０の下部筐体１２の操作パネル面からのキー入力待ちの状態となっているものとする。
【０１１４】
携帯端末１０の制御部５０は、キーの操作が有るか否かを判定する（図１２のステップＳ２１）。キー操作が無い場合は（ステップＳ２１でＮｏ）、ステップＳ２１の判定動作を継続する。
【０１１５】
キー操作が有った場合（ステップＳ２１でＹｅｓ）、制御部５０は、操作されたキーが携帯端末１０の電源オフを指示するキーであるかを判定する（ステップＳ２２）。電源オフを指示するキーでない場合（ステップＳ２２でＮｏ）、制御部５０は、操作されたキーに対応する動作を実行する（ステップＳ２３）。そして、ステップＳ２１に戻る。
【０１１６】
操作されたキーが電源オフを指示するキーであった場合（ステップＳ２２でＹｅｓ）、制御部５０は、記憶部６０の表示内容保存部９５に表示情報が保存されているか判定する（ステップＳ２４）。
【０１１７】
表示情報が表示内容保存部９５に保存されている場合（ステップＳ２４でＹｅｓ）、制御部５０は、表示内容保存部９５に保存されている表示情報を電子ペーパ操作部４０の電子ペーパ制御部４１に送出する。電子ペーパ制御部４１は、制御部５０から受け取った表示情報を電子ペーパ４２に表示するよう制御する。これにより、電子ペーパ４２には、それまで表示されていた表示に代えて、制御部５０から受け取った表示情報が表示される（ステップＳ２５）。表示内容保存部９５に保存されていた表示情報が、例えば、図１０（ａ）に示した電話帳データであった場合、図１０（ｂ）に示すように、電子ペーパ操作部４０の電子ペーパ４２には、それまでのキー機能の表示に代えて、電話帳データが表示される。また、表示内容保存部９５に保存されていた表示情報が、例えば、図１１（ａ）に示したスケジュールデータであった場合、図１１（ｂ）に示すように、電子ペーパ操作部４０の電子ペーパ４２には、それまでのキー機能の表示に代えて、スケジュールデータが表示される。
【０１１８】
表示情報が表示内容保存部９５に保存されていない場合（ステップＳ２４でＮｏ）、制御部５０は、その時点で主表示部２０に表示されている表示情報を、電子ペーパ操作部４０の電子ペーパ制御部４１に送出する。電子ペーパ制御部４１は、制御部５０から受け取った表示情報を電子ペーパ４２に表示するよう制御する。これにより、電子ペーパ４２には、それまで表示されていた表示に代えて、制御部５０から受け取った表示情報が表示される（ステップＳ２６）。
【０１１９】
そして、携帯端末１０の制御部５０は、携帯端末１０の電源をオフとするための終了処理を行った後、携帯端末１０の電源をオフとする（ステップＳ２７）。
【０１２０】
なお、表示情報が表示内容保存部９５に保存されていない場合には（ステップＳ２４でＮｏ）、ステップＳ２６の表示動作（その時点で主表示部２０に表示されている表示情報を電子ペーパ４２に表示する）を行わないようにしてもよい。これは、携帯端末１０の機能として、ステップＳ２６の表示動作を行うか否かを選択・設定できるようにしておくことにより実現できる。
【０１２１】
以上、本発明の携帯端末の第２の実施の形態について説明した。
【０１２２】
本発明の第２の実施の形態の携帯端末（携帯端末１０）は、主表示部（主表示部２０）とサブ表示部（電子ペーパ制御部４１と電子ペーパ４２）、及び、操作部（機能キー群操作部３０と電子ペーパ操作部４０）を含んでいる。また、携帯端末は制御部（制御部５０）を含んでおり、制御部は、操作部の操作により電源オフの指示がなされた場合、主表示部に表示している情報をサブ表示部に表示するよう動作する。
【０１２３】
詳述すると、上述の携帯端末は、さらに、表示情報を記憶する表示内容保存部を含んでいる。そして、制御部は、操作部の操作により表示保存の指示がなされた場合、主表示部に表示している情報を表示内容保存部に記憶させる。
【０１２４】
また、制御部は、操作部の操作により電源オフの指示がなされた場合、表示内容保存部に情報が記憶されていた際には表示内容保存部の情報をサブ表示部に表示する。
【０１２５】
さらに、サブ表示部を電子ペーパで構成している。
【０１２６】
このように、本実施の形態の携帯端末は、携帯端末の操作部の操作により電源オフが指示された場合、その時点で主表示部に表示している情報を、そのままサブ表示部に表示するよう動作するようになっている。また、携帯端末の操作部の操作により表示保存の指示がなされた場合、主表示部に表示している情報を表示内容保存部に記憶させる。さらに、携帯端末の制御部は、操作部の操作により電源オフの指示がなされた場合、表示内容保存部に情報が記憶されていた際には表示内容保存部の情報をサブ表示部に表示するよう動作する。
【０１２７】
従って、本実施の形態によれば、携帯端末の電源をオフとした際であっても、ユーザにとって有用な情報をサブ表示部に表示し続けることが可能となる。また、電源をオフとしているため、携帯端末の省電力化が可能となる。
【０１２８】
さらに、ユーザは、電源オフ時にサブ表示部に表示させたい情報を表示保存の指示により指定できるので、電源オフ時にも確認したい有用な情報の表示内容を自由に指示できる利点がある。
［第３の実施の形態］
次に、図１に示した第１の実施の形態を具体化した本発明による第３の実施の形態について説明する。
【０１２９】
図１に示した実施の形態の携帯端末１は、第３の実施の形態においては、図１４に示す携帯端末１０−１に対応するものである。そこで、先ず、図１のブロック図に示した携帯端末１と、図１４のブロック図に示す携帯端末１０−１との対応関係について説明を行っておく。
【０１３０】
図１の主表示部２は、図１４の主表示部２０に対応する。また、操作部３（図１）は、機能キー群操作部３０−１とキー操作部４０−１（図１４）に対応する。さらに、サブ表示部４（図１）は、電子ペーパ表示部４０−２と４０−３（図１４）に対応する。またさらに、制御部５（図１）は、制御部５０−１（図１４）に対応している。
【０１３１】
以下、図１３〜図１８を参照して、第３の実施の形態についての説明を行う。
【０１３２】
図１３は、本発明の第３の実施の形態の携帯端末の外観図である。
【０１３３】
ここで、図１３（ａ）は、携帯端末１０−１を操作面側から見た場合の外観図であり、図１３（ｂ）は、携帯端末１０−１を背面側から見た場合の外観図である。なお、図１３において図２に示す構成要素に対応するものは同一の参照数字または符号を付し、その説明を極力省略するものとする。
【０１３４】
図１３（ａ）に示すように、本実施の形態の携帯端末１０−１は、上部筐体１１と下部筐体１２を有し、上部筐体１１は主表示部２０を含んでいる。下部筐体１２は、携帯端末１０−１の操作パネル面となっており、機能キー群操作部３０−１とキー操作部４０−１を含んでいる。
【０１３５】
上部筐体１１と下部筐体１２は図示しないヒンジなどで相互に接続されており、ヒンジなどを介して相互に折り畳み可能な構造となっている。なお、上部筐体１１と下部筐体１２は、一体型の共通の筐体に含ませるよう構成するものであってもよい。但し、以降の説明においては、上部筐体１１と下部筐体１２は相互に折り畳み可能な構造となっているものとして説明を行うものとする。
【０１３６】
主表示部２０は、携帯端末１０−１を取り扱う上で必要となる文字、記号、画像などの情報を表示する。
【０１３７】
機能キー群操作部３０−１は、携帯端末１０−１の各種機能を実行するために必要となるキーを含んでおり、例えば、電源キー、メニュー表示キー、機能選択キー、十字キー、表示保存キー、即時表示キーなどを含んでいる。
【０１３８】
電源キー、メニュー表示キー、機能選択キー、十字キーなどのキーの機能は、図２で説明したものと同等である。また、表示保存キーは、図２で説明したと同様に、当該表示保存キーが押下された時点で主表示部２０に表示されている情報を、携帯端末１０−１の記憶部内に保存するためのキーである。但し、本実施の形態においては、表示保存キーは、第１の表示保存キーと第２の表示保存キーの２個となっており、２種類の表示情報を別々に保存可能に構成されている。さらに、即時表示キーは、当該即時表示キーが押下された時点で主表示部２０に表示されている情報を、携帯端末１０−１の電子ペーパ表示部４０−２又は４０−３（図１３（ｂ）にて後述する）に即時に表示させるためのキーである。
【０１３９】
キー操作部４０−１は、携帯端末１０−１を操作する上で必要となるキーの内、機能キー群操作部３０−１が含んでいるキー以外の各種キーを含む操作部である。ここで、各種キーとは、例えば、０〜９の数字を入力するためのテンキーや、通常の電話機が備える「＊」キー、「＃」キー、或いは、通話開始キー、通話終了キーなどである。ここで、キー操作部４０−１は、第２の実施の形態で説明した電子ペーパ操作部４０と同様の構成であってもよい。但し、以降の説明においては、キー操作部４０−１は、通常の携帯端末が備えるタクトスイッチなどのキー構造で構成されているものとして説明を行う。
【０１４０】
また、図１３（ｂ）に示すように、本実施の形態の携帯端末１０−１は、上部筐体１１の背面側に電子ペーパ表示部４０−２を含み、下部筐体１２の背面側に電子ペーパ表示部４０−３を含んでいる。２つの電子ペーパ表示部４０−２、４０−３を含むことより、２種類の表示情報を同時に表示させることが可能となっている。なお、携帯端末１０−１は、電子ペーパ表示部４０−２、電子ペーパ表示部４０−３の何れか一方のみを含むよう構成されるものであってもよい。
【０１４１】
次に、図１４を参照して、本実施の形態の携帯端末１０−１の構成について説明する。
【０１４２】
図１４は、本発明の携帯端末の第３の実施の形態を示すブロック図である。なお、図１４において図１３に示す構成要素に対応するものは同一の参照数字または符号を付し、その説明を極力省略するものとする。
【０１４３】
図１４に示す携帯端末１０−１は、主表示部２０、機能キー群操作部３０−１、キー操作部４０−１、電子ペーパ表示部４０−２、電子ペーパ表示部４０−３、制御部５０−１、記憶部６０−１を含んでいる。
【０１４４】
主表示部２０は、制御部５０−１から出力される文字、記号、画像などの情報を表示する。主表示部２０は、例えば、ＬＣＤで構成されている。
【０１４５】
機能キー群操作部３０−１は、携帯端末１０−１の各種機能を実行するために必要となるキー（複数可）を含んでおり、何れかのキーが押下されると、押下されたキーの種別を示す信号を、制御部５０−１に対して出力する。
【０１４６】
キー操作部４０−１は、携帯端末１０−１を操作する上で必要となる複数のキーを含んでおり、何れかのキーが押下されると、押下されたキーの種別を示す信号を、制御部５０−１に対して出力する。
【０１４７】
電子ペーパ表示部４０−２は、電子ペーパ制御部４１−２と電子ペーパ４２−２を含んでいる。
【０１４８】
電子ペーパ制御部４１−２は、制御部５０−１から表示情報（例えば、主表示部２０に表示している情報）を受け取った場合には、当該表示情報をそのまま電子ペーパ４２−２に表示させるよう、電子ペーパ４２−２を制御する。
【０１４９】
電子ペーパ４２−２は、電子ペーパ制御部４１−２の制御によって指定された通りの表示を行う。なお、電子ペーパ４２−２は、モノクロ表示だけが行えるものであってもよいし、カラー表示が行えるものであってもよい。
【０１５０】
電子ペーパ表示部４０−３は、電子ペーパ制御部４１−３と電子ペーパ４２−３を含んでいる。
【０１５１】
電子ペーパ制御部４１−３は、制御部５０−１から表示情報を受け取った場合には、当該表示情報をそのまま電子ペーパ４２−３に表示させるよう、電子ペーパ４２−３を制御する。
【０１５２】
電子ペーパ４２−３は、電子ペーパ制御部４１−３の制御によって指定された通りの表示を行う。なお、電子ペーパ４２−３は、モノクロ表示だけが行えるものであってもよいし、カラー表示が行えるものであってもよい。
【０１５３】
制御部５０−１は、図示しないＣＰＵを含んでおり、ＣＰＵの動作により携帯端末１０−１全体の動作制御を行う。なお、ＣＰＵを動作させるためのアプリ（アプリケーション・プログラム）は、記憶部６０−１に記憶されている。
【０１５４】
記憶部６０−１は、携帯端末１０−１の各種機能を実行するアプリ（アプリケーション・プログラム）を記憶すると共に、各アプリの実行に必要となるデータや、各アプリが生成するデータ、或いは、携帯端末１０−１の設定データなどを記憶する（図示せず）。
【０１５５】
また、記憶部６０−１は、表示内容保存部９５−２、９５−３を有している。表示内容保存部９５−２には、機能キー群操作部３０−１の第１の表示保存キーが押下された時点で主表示部２０に表示されている情報が、記憶されて保存できるようになっている。また、表示内容保存部９５−３には、機能キー群操作部３０−１の第２の表示保存キーが押下された時点で主表示部２０に表示されている情報が、記憶されて保存できるようになっている。
【０１５６】
次に、図１５〜図１７を参照して、本実施の形態の携帯端末１０−１の表示情報取得の動作について説明する。
【０１５７】
図１５は、本発明の携帯端末の第３の実施の形態の動作を示す第１のフローチャートである。
【０１５８】
先ず、携帯端末１０−１には電源が投入されており、携帯端末１０−１の有する複数のアプリ（アプリケーション・プログラム）の内の或る１つのアプリが起動されているものとする。起動されているアプリとして、以下、「文字編集」アプリを一例として説明するものとする。
【０１５９】
携帯端末１０−１で起動されているアプリは、携帯端末１０−１の下部筐体１２の操作パネル面からのキー入力待ちの状態となっている。
【０１６０】
携帯端末１０−１の制御部５０−１は、キーの操作が有るか否かを判定可能な状態となっている（図１５のステップＳ３１）。キー操作が無い場合は（ステップＳ３１でＮｏ）、ステップＳ３１の判定動作を継続する。
【０１６１】
キー操作が有った場合（ステップＳ３１でＹｅｓ）、制御部５０−１は、操作されたキーが表示保存キーであるかを判定する（ステップＳ３２）。表示保存キーが操作された場合（ステップＳ３２でＹｅｓ）、制御部５０−１は、その時点で主表示部２０に表示されている情報を、記憶部６０−１の表示内容保存部９５に記憶させ保存する（ステップＳ３３）。そして、ステップＳ３１に戻る。なお、制御部５０−１は、操作されたキーが第１の表示保存キーであれば、主表示部２０に表示されている情報を表示内容保存部９５−２に保存する。或いは、操作されたキーが第２の表示保存キーであれば、制御部５０−１は、主表示部２０に表示されている情報を表示内容保存部９５−３に保存する。
【０１６２】
上述したステップＳ３３の一例として、例えば、「文字編集」アプリによって電話帳データの作成がなされており、主表示部２０には図１６（ａ）に示すような電話帳データが表示されていたものとする。この時点で表示保存キー（例えば、第１の表示保存キー）が操作された場合には、図１６（ａ）の主表示部２０の表示情報、すなわち、氏名、カナ、ＴＥＬ、Ｍａｉｌなどの情報が、そのまま表示内容保存部９５（表示内容保存部９５−２）に記憶される。
【０１６３】
操作されたキーが表示保存キーでなかった場合（ステップＳ３２でＮｏ）、制御部５０−１は、操作されたキーが即時表示キーであるかを判定する（ステップＳ３４）。即時表示キーが操作された場合（ステップＳ３４でＹｅｓ）、制御部５０−１は、その時点で主表示部２０に表示されている情報を、電子ペーパ表示部４０−２の電子ペーパ４２−２に表示する（ステップＳ３５）。そして、ステップＳ３１に戻る。なお、電子ペーパ４２−２に既に他の表示情報が表示されている場合、制御部５０−１は、電子ペーパ表示部４０−３の電子ペーパ４２−３に表示情報を表示するようにしてもよい。
【０１６４】
上述したステップＳ３５の一例として、例えば、「文字編集」アプリによって電話帳データの作成がなされており、主表示部２０には図１６（ａ）に示すような電話帳データが表示されていたものとする。この時点で即時表示キーが操作された場合には、図１６（ａ）の主表示部２０の表示情報、すなわち、氏名、カナ、ＴＥＬ、Ｍａｉｌなどの情報が、そのまま、図１６（ｂ）の電子ペーパ表示部４０−２の電子ペーパ４２−２に表示される。
【０１６５】
操作されたキーが即時表示キーでなかった場合（ステップＳ３４でＮｏ）、制御部５０−１は、キー操作が、起動されているアプリの終了の操作であるか否かを判定する（ステップＳ３６）。アプリの終了の操作ではない場合（ステップＳ３６でＮｏ）、制御部５０−１は、操作されたキーの種別に対応するアプリの機能を実行し（ステップＳ３７）、ステップＳ３１に戻る。
【０１６６】
アプリの終了操作であった場合（ステップＳ３６でＹｅｓ）、制御部５０−１は起動中のアプリを終了させる。
【０１６７】
上述した図１５の説明においては、「文字編集」アプリが起動されている例について説明したが、「文字編集」アプリに代えて、「地図表示」アプリが起動されている場合のステップＳ３３の例について、図１７を参照して説明する。
【０１６８】
携帯端末１０−１で「地図表示」アプリが起動されており、上述のステップＳ３２で表示保存キーが操作された時点で、携帯端末１０−１の主表示部２０には、図１７（ａ）に示すような地図データが表示されていたものとする。すると、上述したステップＳ３３においては、図１７（ａ）の主表示部２０の表示情報、すなわち、東京都港区近辺の地図の情報が、そのまま表示内容保存部９５（例えば、表示内容保存部９５−３）に記憶される。
【０１６９】
なお、図１５においては、或るアプリの起動中に、表示保存キー或いは即時表示キーが操作された場合の表示情報取得の動作について説明したが、アプリが起動されていない場合であっても、携帯端末１０−１の表示情報取得の動作は同様に行われる。例えば、携帯端末１０−１が待ち受け中であり、主表示部２０には待ち受け画面としてカレンダー画像が表示されている場合に、表示保存キーが操作されると、その時点でのカレンダー画像が、表示内容保存部９５（例えば、表示内容保存部９５−２）に記憶される。また、即時表示キーが操作されると、その時点でのカレンダー画像が、電子ペーパ表示部４０−２の電子ペーパ４２−２、或いは、電子ペーパ表示部４０−３の電子ペーパ４２−３に表示される。
【０１７０】
次に、図１８を参照して、本実施の形態の携帯端末１０−１の電源オフ時の動作について説明する。
【０１７１】
図１８は、本発明の携帯端末の第３の実施の形態の動作を示す第２のフローチャートである。
【０１７２】
先ず、携帯端末１０−１には電源が投入されており、携帯端末１０−１は動作状態にあるものとする。携帯端末１０−１が動作状態にあるとは、携帯端末１０−１が待ち受け状態であっても良いし、或るアプリが起動されている状態であっても良い。何れの状態であっても、携帯端末１０−１は、携帯端末１０−１の下部筐体１２の操作パネル面からのキー入力待ちの状態となっているものとする。
【０１７３】
携帯端末１０−１の制御部５０−１は、キーの操作が有るか否かを判定する（図１８のステップＳ４１）。キー操作が無い場合は（ステップＳ４１でＮｏ）、ステップＳ４１の判定動作を継続する。
【０１７４】
キー操作が有った場合（ステップＳ４１でＹｅｓ）、制御部５０−１は、操作されたキーが携帯端末１０−１の電源オフを指示するキーであるかを判定する（ステップＳ４２）。電源オフを指示するキーでない場合（ステップＳ４２でＮｏ）、制御部５０−１は、操作されたキーに対応する動作を実行する（ステップＳ４３）。そして、ステップＳ４１に戻る。
【０１７５】
操作されたキーが電源オフを指示するキーであった場合（ステップＳ４２でＹｅｓ）、制御部５０−１は、記憶部６０−１の表示内容保存部９５に表示情報が保存されているか判定する（ステップＳ４４）。
【０１７６】
表示情報が表示内容保存部９５に保存されている場合（ステップＳ４４でＹｅｓ）、制御部５０−１は、表示内容保存部９５に保存されている表示情報を、電子ペーパ表示部４０−２（又は、４０−３）の電子ペーパ制御部４１−２（又は、４１−３）に送出する。電子ペーパ制御部４１−２（又は、４１−３）は、制御部５０−１から受け取った表示情報を電子ペーパ４２−２（又は、４２−３）に表示するよう制御する。これにより、電子ペーパ４２−２（又は、４２−３）には、それまで表示されていた表示情報に代えて、制御部５０−１から受け取った表示情報が表示される（ステップＳ４５）。表示内容保存部９５に保存されていた表示情報が、例えば、図１６（ａ）に示した電話帳データであった場合、図１６（ｂ）に示すように、電子ペーパ表示部４０−２の電子ペーパ４２−２には、それまで表示されていた表示情報に代えて、電話帳データが表示される。また、表示内容保存部９５に保存されていた表示情報が、例えば、図１７（ａ）に示した地図データであった場合、図１７（ｂ）に示すように、電子ペーパ表示部４０−３の電子ペーパ４２−３には、それまで表示されていた表示情報に代えて、地図データが表示される。
【０１７７】
なお、上述したステップＳ４５においては、表示内容保存部９５−２の表示情報は、電子ペーパ４２−２に表示され、表示内容保存部９５−３の表示情報は、電子ペーパ４２−３に表示されるようになっている。
【０１７８】
表示情報が表示内容保存部９５に保存されていない場合（ステップＳ４４でＮｏ）、制御部５０−１は、その時点で主表示部２０に表示されている表示情報を、電子ペーパ表示部４０−２の電子ペーパ制御部４１−２に送出する。電子ペーパ制御部４１−２は、制御部５０−１から受け取った表示情報を電子ペーパ４２−２に表示するよう制御する。これにより、電子ペーパ４２−２には、それまで表示されていた表示情報に代えて、制御部５０−１から受け取った表示情報が表示される（ステップＳ４６）。なお、電子ペーパ４２−２に既に表示情報が表示されている場合、制御部５０−１は、その時点で主表示部２０に表示されている表示情報を、電子ペーパ表示部４０−３の電子ペーパ制御部４１−３に送出するようにしてもよい。このとき、電子ペーパ制御部４１−３は、制御部５０−１から受け取った表示情報を電子ペーパ４２−３に表示するよう制御する。これにより、電子ペーパ４２−３には、制御部５０−１から受け取った表示情報が表示される。
【０１７９】
そして、携帯端末１０−１の制御部５０−１は、携帯端末１０−１の電源をオフとするための終了処理を行った後、携帯端末１０−１の電源をオフとする（ステップＳ４７）。
【０１８０】
なお、表示情報が表示内容保存部９５に保存されていない場合には（ステップＳ４４でＮｏ）、ステップＳ４６の表示動作（その時点で主表示部２０に表示されている表示情報を電子ペーパ４２−２（又は、４２−３）に表示する）を行わないようにしてもよい。これは、携帯端末１０−１の機能として、ステップＳ４６の表示動作を行うか否かを選択・設定できるようにしておくことにより実現できる。
【０１８１】
以上、本発明の携帯端末の第３の実施の形態について説明した。
【０１８２】
本発明の第３の実施の形態の携帯端末（携帯端末１０−１）は、主表示部（主表示部２０）とサブ表示部（電子ペーパ制御部４１−２と電子ペーパ４２−２、及び／又は、電子ペーパ制御部４１−３と電子ペーパ４２−３）を含んでいる。また、携帯端末は、操作部（機能キー群操作部３０−１とキー操作部４０−１）を含んでいる。さらに、携帯端末は制御部（制御部５０−１）を含んでおり、制御部は、操作部の操作により電源オフの指示がなされた場合、主表示部に表示している情報をサブ表示部に表示するよう動作する。
【０１８３】
そして、本実施の形態の携帯端末の制御部は、第２の実施の形態に加え、さらに、以下のように動作する。
【０１８４】
すなわち、制御部は、操作部の操作により即時表示の指示がなされた場合、主表示部に表示している情報をサブ表示部に表示するよう動作する。
【０１８５】
また、本実施の形態の携帯端末は、サブ表示部を、携帯端末の主表示部を含む筐体の背面側及び／又は操作部を含む筐体の背面側に設けるようにしている。
【０１８６】
このように、本実施の形態の携帯端末は、携帯端末の操作部の操作により即時表示が指示された場合、その時点で主表示部に表示している情報を、そのままサブ表示部に表示するよう動作するようになっている。また、サブ表示部を、携帯端末の筐体の背面側に設けている。
【０１８７】
従って、本実施の形態によれば、携帯端末の電源をオフとした際であっても、ユーザにとって有用な情報をサブ表示部に表示し続けることが可能となる。また、電源をオフとしているため、携帯端末の省電力化が可能となる。さらに、携帯端末の即時表示の操作により、その時点でユーザにとって有用な情報をサブ表示部に表示し続けることが可能となる。
【図面の簡単な説明】
【０１８８】
【図１】本発明の携帯端末の第１の実施の形態を示すブロック図である。
【図２】本発明の第２の実施の形態の携帯端末の外観図である。
【図３】電子ペーパ操作部の各種キーの表示の一例を示す図である。
【図４】本発明の携帯端末の第２の実施の形態を示すブロック図である。
【図５】キー機能テーブルの一例を示す図である。
【図６】電子ペーパ操作部の一例を示す図である。
【図７】本発明の携帯端末の第２の実施の形態の動作を示す第１のフローチャートである。
【図８】文字編集アプリが起動された際の電子ペーパ操作部の各種キーの表示例を示す図である。
【図９】本発明の携帯端末の第２の実施の形態の動作を示す第２のフローチャートである。
【図１０】携帯端末の表示情報取得時および電源オフ時の表示例を示す第１の図である。
【図１１】携帯端末の表示情報取得時および電源オフ時の表示例を示す第２の図である。
【図１２】本発明の携帯端末の第２の実施の形態の動作を示す第３のフローチャートである。
【図１３】本発明の第３の実施の形態の携帯端末の外観図である。
【図１４】本発明の携帯端末の第３の実施の形態を示すブロック図である。
【図１５】本発明の携帯端末の第３の実施の形態の動作を示す第１のフローチャートである。
【図１６】携帯端末の表示情報取得時および電源オフ時の表示例を示す第３の図である。
【図１７】携帯端末の表示情報取得時および電源オフ時の表示例を示す第４の図である。
【図１８】本発明の携帯端末の第３の実施の形態の動作を示す第２のフローチャートである。
【符号の説明】
【０１８９】
１    携帯端末
２    主表示部
３    操作部
４    サブ表示部
５    制御部
１０    携帯端末
１０−１    携帯端末
１１    上部筐体
１２    下部筐体
２０    主表示部
３０    機能キー群操作部
３０−１    機能キー群操作部
４０    電子ペーパ操作部
４０−１    キー操作部
４０−２    電子ペーパ表示部
４０−３    電子ペーパ表示部
４１    電子ペーパ制御部
４１−２    電子ペーパ制御部
４１−３    電子ペーパ制御部
４２    電子ペーパ
４２−２    電子ペーパ
４２−３    電子ペーパ
４３    スイッチシート
４３−１    タクトスイッチ
４４    キー押下検出部
４８    保護シート
５０    制御部
５０−１    制御部
６０    記憶部
６０−１    記憶部
９０    キー機能テーブル
９５    表示内容保存部
【図１】
0005120030.tif 000002
【図２】
0005120030.tif 000003
【図３】
0005120030.tif 000004
【図４】
0005120030.tif 000005
【図５】
0005120030.tif 000006
【図６】
0005120030.tif 000007
【図７】
0005120030.tif 000008
【図８】
0005120030.tif 000009
【図９】
0005120030.tif 000010
【図１０】
0005120030.tif 000011
【図１１】
0005120030.tif 000012
【図１２】
0005120030.tif 000013
【図１３】
0005120030.tif 000014
【図１４】
0005120030.tif 000015
【図１５】
0005120030.tif 000016
【図１６】
0005120030.tif 000017
【図１７】
0005120030.tif 000018
【図１８】
0005120030.tif 000019